(57)【要約】【課題】タブ紙のタブ部を気にすることなく、紙の搬送、画像形成を行う。【解決手段】タブ部を折り曲げて平面積が通常の紙と同一形状になっている紙をセット出来る画像形成装置において、折り曲げられた突出部を展開する展開手段を有する。【選択図】　　　　図１
2004106953.tif 000002
【特許請求の範囲】
【請求項１】
用紙を収納するカセットと、長方形に対して突出部を有し、その突出部を折り曲げて平面積が通常の紙と同一形状になっている紙をセット出来る画像形成装置において、折り曲げられた突出部を展開する展開手段を有すことを特徴とする画像形成装置。
【請求項２】
前記展開手段とはブラシローラ対であることを特徴とする請求項１の画像形成装置。
【請求項３】
前記展開手段は本体排出ローラの横にあることを特徴とする請求項１の画像形成装置。
【発明の詳細な説明】
【０００１】
【発明の属する技術分野】
本発明は画像形成装置に関するものである。
【０００２】
【従来の技術】
印刷物はどこにどのような内容の資料があるかを簡単に探すために必要に応じてタブ紙を挿入することにより仕分けることを行う。その行為は印刷後に行うと非常に面倒な行為である。よってデジタル複合機やプリンタなどの画像形成装置では、その手間を省くために、あらかじめ印刷物のどこにタブ紙を挿入するかを設定しておくと、必要に応じてタブ紙を供給して仕分けることができる。また、そのタブ紙に印刷することも可能であり、ユーザーとしては非常に便利な機能である。
【０００３】
【発明が解決しようとする課題】
しかしながら、上記従来例では以下のような欠点があった。仕切りの際に使われるタブ紙は通常の紙サイズに対して突出部（タブ）を有しており、通常の紙を搬送するように設計された機械では、その紙を扱うということはカセットにセットするときも、また画像形成装置内を通紙する際にもそのタブ部をよけてセット、また搬送するということをしなければならない。カセットについて具体的に言うとサイド規制板や後端規制板はタブ部がくる場合、その部分の押さえ込みを無くすか逃がさなければならない。搬送中は紙端を突き当てて紙の斜行をとるレジ部ではタブ側を突き当てることが出来ないために両面を禁止する等の対策や、規制が必要となった。
【０００４】
【課題を解決するための手段】
上記目的を達成する為に、本出願に係る第一の発明は、用紙を収納するカセットと、長方形に対して突出部を有し、その突出部を折り曲げて平面積が通常の紙と同一形状になっている紙をセット出来る画像形成装置において、折り曲げられた突出部を展開する展開手段を有すことを特徴とする。前記構成において、画像形成装置にタブ紙を用いる際も他の紙と同様の扱いで給紙、搬送することが可能となる。
【０００５】
また本出願に係る第二の発明は、前記展開手段とはブラシローラ対であることを特徴とする。前記構成により、折り曲げられたタブ部を展開するという、搬送ロスに繋がる行為を最小限に押さえることが可能となる。
【０００６】
また本出願に係る第三の発明は、前記展開手段は本体排出ローラの横にあることを特徴とする。前記構成により、画像形成行為が終わった後は排出するだけの時にタブ部を展開するので、給紙搬送動作には全く影響を及ぼさない。
【０００７】
【発明の実施の形態】
（第１の実施例）
デジタル複合機１は、多くの種類のサイズや種類をセット出来るカセット給紙部２，３，４，５を有す（図１）。タブ紙を用いる場合はそのうちの一つにタブ紙をセットして、操作部よりタブ紙をセットしたカセットとタブ紙のサイズを指定する（不図示）。タブ紙１０はタブ部１０ａが内側に折り込まれており、平面積は通常の紙１０１と同じになっている（図２）。そのタブ紙１０をセットする際は、折り込まれたタブ部を本体手前側になるようにセットする（折り込まれたタブが束の上下はどちらでも良い、図３）。セットされたタブ紙１０はユーザーが設定した印刷モードに従って、必要なタイミング（冊子中のタブ紙の必要な部分）にて給紙、印刷される。タブ紙１０への印刷は通常コピーと同じで片面、両面ともに対応する。片面若しくは両面に印刷されたタブ紙１０は搬送ローラ１１によって排紙部へ送ってこられる。
【０００８】
そして、本体排紙ローラ１２横に用紙搬送方向と直角で、かつあらかじめ指定された用紙サイズにより、待機位置より紙の手前端部に移動してきた、用紙の表裏に接する２本の展開ローラ１３，１４の回転にて、搬送中の用紙の折り曲げられたタブ部１０ａを展開する（図４〜図６）。展開ローラ１３，１４は紙の表裏にあり、折り曲げられたタブ１０ａを起こす方向にモータ１５、ベルト１６、ギア１７により回転している。これにより、本体排出の寸前にタブ紙１０のタブ部１０ａを展開するので、タブ紙１０は画像形成中においては通常の他の紙１０１と何ら変わらないサイズとなり、サイド規制板やレジ部などの特別な配慮をしなくても画像形成が行える。
【０００９】
また展開ローラ１３，１４は表裏にあるので、片面、両面、セット時のタブの表裏に関係なくタブを展開することが可能となる。前記展開ローラ１３，１４にて展開されたタブ紙１０は排出ローラ１２にて本体機外へ排出される。展開ローラ１３，１４は入力された紙サイズによって、所定の位置（紙端になるよう）に移動するファーローラ（ブラシローラ）になっており、搬送力が発生して用紙搬送方向への妨げに極力ならない条件で当接、回転している。そうすることによって、本体排紙トレーには必要な部分にタブ紙１０が挿入された冊子が完成する。また、普通紙１０１の通紙時はこの展開ローラ１３，１４は必要ないので待機位置に移動して回転を止める（図７）。
【００１０】
なお、展開ローラはファーローラと限定したが、用紙搬送力にあまり影響を与えずに展開できる機構であれば何でも良い。またタブ紙はタブ部を本体手前に設定したが、片面に限定するなどすれば、展開ローラは搬送方向の平行に設定して、どこに配置してもよい。
【００１１】
【発明の効果】
以上説明したように、本出願に係る第一の発明によれば、用紙を収納するカセットと、長方形に対して突出部を有し、その突出部を折り曲げて平面積が通常の紙と同一形状になっている紙をセット出来る画像形成装置において、折り曲げられた突出部を展開する展開手段を有すことを特徴とする。前記構成において、画像形成装置にタブ紙を用いる際も他の紙と同様の扱いで給紙、搬送することが可能となる。
【００１２】
また本出願に係る第二の発明によれば、前記展開手段とはブラシローラ対であることを特徴とする。前記構成により、折り曲げられたタブ部を展開するという、搬送ロスに繋がる行為を最小限に押さえることが可能となる。
【００１３】
また本出願に係る第三の発明によれば、前記展開手段は本体排出ローラの横にあることを特徴とする。前記構成により、画像形成行為が終わった後は排出するだけの時にタブ部を展開するので、給紙搬送動作には全く影響を及ぼさない。
【図面の簡単な説明】
【図１】本発明の全体図
【図２】本発明における用紙の図
【図３】本発明におけるタブ紙のセット図
【図４】本発明におけるタブ紙の展開図
【図５】本発明におけるタブ紙の展開図
【図６】本発明におけるタブ紙の展開図
【図７】本発明における普通紙の搬送中の図
【符号の説明】
１・・・・デジタル複合機
２、３、４、５・・・・カセット給紙部
１０・・・・タブ紙
１０ａ・・・・タブ部
【図１】
2004106953.tif 000003
【図２】
2004106953.tif 000004
【図３】
2004106953.tif 000005
【図４】
2004106953.tif 000006
【図５】
2004106953.tif 000007
【図６】
2004106953.tif 000008
【図７】
2004106953.tif 000009